(57)【特許請求の範囲】
【請求項１】
上面に無端ベルトが浮上走行するトラフと、前記無端ベルトを浮上させる圧縮空気を送るパイプ状のエアーダクトと、軸線中心の通気孔が穿設された中空螺子とを備え、前記トラフの下面の長さ方向に沿って前記エアーダクトを前記中空螺子で螺着接合し、前記エアーダクト内と前記トラフの上面とを前記中空螺子の通気孔で連通させたことを特徴とする空気浮上式ベルトコンベヤ。
【請求項２】
トラフとエアーダクトの間隙に中空螺子の配列を中心に挟んで長さ方向に沿って接着材ブロックを配設し、前記接着材ブロックを介して前記トラフと前記エアーダクトを接着したことを特徴とする請求項１記載の空気浮上式ベルトコンベヤ。
【発明の詳細な説明】
【０００１】
【発明の属する技術分野】
本発明は、コンベヤのベルトをトラフの上面に空気で浮上させて走行させる空気浮上式ベルトコンベヤに関する。
【０００２】
【従来の技術】
従来のベルトコンベアにあっては、走行するベルトは円筒状のローラで支持されているものが一般的であるが、このベルトコンベヤは、ベルトとローラの摩擦により部品の摩耗が早いうえに、ローラの騒音も激しいので、これに代わってベルトをコンベヤトラフの上面に空気で浮上させて走行させる空気浮上式ベルトコンベヤが種々提案されている（例えば、特開昭６４−５３９０８号公報、特開平６−１１０１３２公報等）。
【０００３】
５図は、従来周知の一般的な空気浮上式ベルトコンベヤの一例の断面を示すものであり、圧縮空気が送られる上下平行する長大な空気室５０、５０ａの上面に断面円弧状のトラフ５１、５１ａを形成し、このトラフ５１、５１ａの底に空気通過孔５２、５２ａを設け、前記空気通過孔５２、５２ａから噴出する圧縮空気でトラフ５１、５１ａの上面に沿って走行するベルト５３、５３ａとの間に空気膜形成しベルト５３、５３を浮上させるようになっている。この図示した従来例は、載荷側ベルト５３と戻り側ベルト５３ａが共にトラフ５１、５１ａの上面に沿って空気浮上する構成となっている。
【０００４】
上記図示した空気浮上式ベルトコンベヤは、所定間隔をおいて底に空気通過孔５２、５２ａを穿設したトラフ５１、５１ａの下面に、断面上向コの字形の溝状の空気室部材５４、５４ａを互いの長さ方向両縁部で溶接して中空の空気室５０、５０ａを直接形成したものである。この空気浮上式ベルトコンベヤのベルト５３，５３ａを、トラフ５１，５１ａ上面に沿って円滑に浮上走行させるには、トラフ５１，５１ａの高い精度が要求されるとともに、空気が無駄なく安定した圧力で空気通過孔５２，５２ａからトラフ５１、５１ａの上面に供給されるには、空気洩れのない空気室５０，５０ａを必要とする。
【０００５】
【発明が解決しようとする課題】
しかしながら、上記従来の各トラフ５１，５１ａと各空気室部材５４，５４ａとの溶接による各空気室５０，５０ａの形成手段は、その接合部５５，５５ａの溶接時にトラフ５１，５１ａの精度を損うことがあると共に、接合部５５，５５ａに溶接灼けと不完全な接合部分が残り易く、その部分から空気洩れを生じることがある。そして、この溶接作業は高度な注意力と熟練を必要とする労働負担の大きい面倒なものであり、溶接の不完全部分の補修には多くの費用と時間を必要とした。
【０００６】
本発明は、上記の問題に鑑みてなされたもので、トラフの精度を損なうことなく、トラフの下面に空気洩れの心配のないエアーダクトを簡単に設けることができるようにすることにある。
【０００７】
【課題を解決するための手段】
本発明は、上面に無端ベルトが浮上走行するトラフと、前記無端ベルトを浮上させる圧縮空気を送るパイプ状のエアーダクトと、軸線中心の通気孔が穿設された中空螺子とを備え、前記トラフの下面の長さ方向に沿って前記エアーダクトを前記中空螺子で螺着接合し、前記エアーダクト内と前記トラフの上面とを前記中空螺子の通気孔で連通させて構成し、エアーダクトの形成に溶接作業による部分を一掃した。
【０００８】
また、トラフとエアーダクトの間隙に中空螺子の配列を中心に挟んで長さ方向に沿って接着材ブロックを配設し、前記接着材ブロックを介して前記トラフと前記エアーダクトを接着してトラフとエアーダクトの接合を強化することが好ましい。
【０００９】
【発明の実施の形態】
以下、本発明の好適な実施の形態を添付図面を参照しながら詳細に説明する。
【００１０】
図１乃至図４は、本発明の空気浮上式ベルトコンベヤの実施の形態を示しており、上面に無端ベルト１が浮上走行するトラフ２と、前記無端ベルト１を浮上させる圧縮空気を送るパイプ状のエアーダクト３と、軸線中心の通気孔５が穿設された中空螺子４とを備えて構成されている。本実施の形態では、無端ベルト１の載荷側ベルト１ａと、その下方で逆走行する戻り側ベルト１ｂは、共に空気浮上式としているが、戻り側ベルト１ｂを旧来のローラ式とする場合もある。
【００１１】
無端ベルト１は、ヘッドプーリーとテールプーリーに掛け渡され駆動プーリー（プーリー等の駆動機構は図示省略）によってエンドレス走行し、所定区間載荷物を搬送する周知の弾性材によるベルトである。
【００１２】
載荷側ベルト１ａが浮上走行する断面円弧状の載荷側トラフ２ａは、その中央長さ方向に所定間隔を置いて螺子孔８が設けられており、長さ方向両端縁部６、６でフレーム７の上端に支持され、ビス止めされて固定されている。そして、載荷側トラフ２ａの下面中央部には長さ方向に沿って角形パイプからなる上部エアーダクト３ａが付設されている。
【００１３】
本実施の形態におけるエアーダクト３は、溶接による空気洩れの心配のないトラフ２とは別体に形成されたパイプを使用している。このエアーダクト３に使用するパイプは、断面形状が図示の角形に限らず、円、楕円でもよい。また、市販の既製パイプを利用してもよい。
【００１４】
上部エアーダクト３ａは、載荷側トラフ２ａの螺子孔８に頭部を埋め込んでねじ込まれた軸線中心の通気孔５が穿設された中空螺子４で載荷側トラフ２ａの下面に螺着接合されており、上部エアーダクト３ａ内と載荷側トラフ２ａの上面とは中空螺子４の通気孔５で連通している。
【００１５】
中空螺子４は、トラフ２とエアーダクト３を接合すると共に、無端ベルト１を空気浮上させるトラフ２の通気孔５を形成する縦穴付きの皿形螺子であり、腐食によって通気孔５が目詰りしないように、その材質はステンレスや真鍮を使用したり、メッキを施したものが使用される。また、その頭部９上面にはドライバ等の工具が使用できるように十字溝１０が設けられている。
【００１６】
また、トラフ２の裏面凸曲面形状によって生ずるトラフ２とエアーダクト３の間隙には、取り付けた中空螺子４の配列を中心に挟んで長さ方向に沿って防振性護謨等による接着材ブロック１１が適宜間隔を置いて配設してある。この接着材ブロック１１には、その上下面に接着剤が塗布されており、トラフ２とエアーダクト３を接着してトラフ２とエアーダクト３の接合を強化するとともに、コンベヤの駆動に伴う振動を吸収して螺子弛みを防止している。
【００１７】
また、積載側ベルト１ａを浮上させる積載側の空気浮上機構の下方に、戻り側ベルト１ｂを浮上させる積載側トラフ２ａよりもフラットな戻り側トラフ２ｂとその下面に取りつけられた下部エアーダクト３ｂによる戻り側の空気浮上機構がフレーム７に取りつけられて設けられている。この戻り側空気浮上機構は基本的に積載側の空気浮上機構と同様であるのでその説明は省略する。
【００１８】
以上の説明で明らかのように、本実施の形態におけるエアーダクト３はトラフ３とは別体に形成されたパイプであり、これをトラフ２へ取り付けるには、トラフ２とエアーダクト３の間隙に接着材１１を介在させて中空螺子４をドライバ等の工具を使って締め込めばよく、螺子止めによりトラフ２とエアーダクト３は接着材ブロック１１を挟んでがたつくことなく強固に固定される。
【００１９】
従って、この組立には空気洩れの原因となりやすい注意力や熟練を要する溶接作業がなく、トラフ２とエアーダクト３の接合作業でトラフ２の精度を損なうようなことがない。
【００２０】
また、中空螺子４を皿形螺子にしてその頭部９をトラフ２の螺子孔８に埋め込むように取り付けてあるので、中空螺子４の頭部９で走行する無端ベルト１の裏面を傷つけることもない。
【００２１】
本実施の形態にあっては、圧縮空気発生装置（図示省略）で発生させた圧縮空気はエアーダクト３を固定した中空螺子４の通気孔５からトラフ２の上面に無駄なく供給され、無端ベルト１はトラフ２上面に確実に浮上走行する。
【００２２】
【発明の効果】
以上説明したような形態で実施される本発明の空気浮上式ベルトコンベヤは、以下に記載されるような効果を奏する。
【００２３】
トラフの下面の長さ方向に沿ってパイプ状に形成された別部材からなるエアーダクトを中空螺子で接合し、エアーダクト内とトラフの上面とを中空螺子の通気孔で連通させた構成としたので、トラフの下面に溶接によってエアーダクトを一体に設ける従来の空気浮上式ベルトコンベヤに比較して、組立作業が簡単なうえに、エアーダクトからの空気洩れの心配がなく、補修も用意である。
【００２４】
従って、熟練者でなくとも点検、補修維持が可能であり、その経費や時間を節約し、労働負担を軽減することができる。
【００２５】
また、トラフとエアーダクトとの空隙に接着材ブロックを介在させることにより、トラフとエアーダクトとの微震を吸収して強固に固定することができると共に、断面形状を問わない多様なエアーダクトとすることができる。
【図面の簡単な説明】
【図１】本発明の空気浮上式ベルトコンベヤを示す断面図。
【図２】図１の主要部を拡大して示す断面図。
【図３】図２に使用されている中空螺子の平面図。
【図４】本実施の形態のベルトコンベヤのトラフを示す平面図。
【図５】従来例を示す断面図。
【符号の説明】
１  無端ベルト，２  トラフ，３  エアーダクト，４  中空螺子，５  通気孔１１  接着剤ブロック，
【図１】
0004060951.tif 000002
【図２】
0004060951.tif 000003
【図３】
0004060951.tif 000004
【図４】
0004060951.tif 000005
【図５】
0004060951.tif 000006